(57)【要約】【課題】ユーザーが設定可能な設定値と機器によって自動的に設定される設定値とを区別して表示する。【解決手段】システム制御部５０は特定の設定項目に関する複数の設定値を示す第１の候補群からユーザーによって選択された設定値を設定する第１の設定と、第１の候補群よりも設定値が多い第２の候補群から所定の条件に基づいて決定される設定値を設定する第２の設定とを行う。システム制御部は第１の動作モードでは、第１の設定のための第１の設定画面において第１の候補群に含まれない設定値の候補を表示せずに、第１の候補群に含まれる設定値の候補を一列に並べて表示し、第２の動作モードでは第１の設定のための第２の設定画面において第２の候補群に含まれる設定値の候補のうち第１の候補群に含まれる設定値の候補と第１の候補群に含まれない設定値の候補とを互いに異なる表示形態で一列に並べて表示する。【選択図】図５
2018010133.tif 000002
【特許請求の範囲】
【請求項１】
特定の設定項目に関する複数の設定値を示す第１の候補群からユーザーによって選択された設定値を設定する第１の設定手段と、
前記第１の候補群よりも設定値が多い第２の候補群から所定の条件に基づいて決定される設定値を設定する第２の設定手段と、
前記第２の設定手段による設定を行わない第１の動作モードと、前記第２の設定手段による設定を行う第２の動作モードとを含む複数の動作モードのいずれかに切り替える切替手段と、
前記第１の動作モードにおいては、前記第１の設定手段による設定のための第１の設定画面において前記第１の候補群に含まれない設定値の候補を表示せずに、前記第１の候補群に含まれる設定値の候補を一列に並べて表示し、前記第２の動作モードにおいては、前記第１の設定手段による設定のための第２の設定画面において前記第２の候補群に含まれる設定値の候補のうち前記第１の候補群に含まれる設定値の候補と前記第１の候補群に含まれない設定値の候補とを互いに異なる表示形態で一列に並べて表示するように制御する表示制御手段と、
を有することを特徴とする表示制御装置。
【請求項２】
前記第２の設定手段によって設定される設定値は前記第１の設定手段によって設定可能な設定値よりも細かい間隔で設定可能であることを特徴とする請求項１に記載の表示制御装置。
【請求項３】
前記第１の設定手段よって設定可能な設定値の間隔を切り替えるための設定間隔切替手段を有することを特徴とする請求項１又は２に記載の表示制御装置。
【請求項４】
前記表示制御手段は、前記第１の設定画面に表示される設定値の候補および前記第２の設定画面に表示される設定値の候補において前記第１の候補群に含まれる設定値の候補については、同一の表示形態で表示するように制御することを特徴とする請求項１乃至３のいずれか１項に記載の表示制御装置。
【請求項５】
前記特定の設定項目はＩＳＯ感度であることを特徴とする請求項１乃至４のいずれか１項に記載の表示制御装置。
【請求項６】
前記第２の設定手段は、前記所定の条件として撮像装置においてレンズの交換、エクステンダーの装着、およびズーム操作の少なくとも１つが行われて絞り数値が変化した場合に、露出値が維持されるように前記ＩＳＯ感度を決定して設定することを特徴とする請求項５に記載の表示制御装置。
【請求項７】
前記特定の設定項目は、シャッター速度であることを特徴とする請求項１乃至４のいずれか１項に記載の表示制御装置。
【請求項８】
前記第２の設定手段は、撮像装置においてレンズの交換、エクステンダーの装着、およびズーム操作の少なくとも１つが行われて絞り数値が変化した場合に、露出値が維持されるように前記シャッター速度を決定して設定することを特徴とする請求項７に記載の表示制御装置。
【請求項９】
前記特定の設定項目は、ディスプレイの表示輝度であることを特徴とする請求項１乃至４のいずれか１項に記載の表示制御装置。
【請求項１０】
前記表示制御装置は、被写体を撮像する撮像装置に備えられることを特徴とする請求項１乃至９のいずれか１項に記載の表示制御装置。
【請求項１１】
特定の設定項目に関する複数の設定値を表示する表示制御装置の制御方法であって、
前記特定の設定項目に関する複数の設定値を示す第１の候補群からユーザーによって選択された設定値を設定する第１の設定ステップと、
前記第１の候補群よりも設定値が多い第２の候補群から所定の条件に基づいて決定される設定値を設定する第２の設定ステップと、
前記第２の設定ステップによる設定を行わない第１の動作モードと、前記第２の設定ステップによる設定を行う第２の動作モードとを含む複数の動作モードのいずれかに切り替える切替ステップと、
前記第１の動作モードにおいては、前記第１の設定ステップによる設定のための第１の設定画面において前記第１の候補群に含まれない設定値の候補を表示せずに、前記第１の候補群に含まれる設定値の候補を一列に並べて表示し、前記第２の動作モードにおいては、前記第１の設定ステップによる設定のための第２の設定画面において前記第２の候補群に含まれる設定値の候補のうち前記第１の候補群に含まれる設定値の候補と前記第１の候補群に含まれない設定値の候補とを互いに異なる表示形態で一列に並べて表示するように制御する表示制御ステップと、
を有することを特徴とする制御方法。
【請求項１２】
コンピュータを、請求項１乃至１０のいずれか１項に記載された表示制御装置の各手段として機能させるためのプログラム。
【請求項１３】
コンピュータを、請求項１乃至１０のいずれか１項に記載された表示制御装置の各手段として機能させるためのプログラムを格納したコンピュータが読み取り可能な記憶媒体。
【発明の詳細な説明】
【技術分野】
【０００１】
本発明は、表示制御装置、その制御方法、およびプログラム、並びに記憶媒体に関し、特に、機器に設定された設定値を表示する表示制御装置に関する。
【背景技術】
【０００２】
一般に、電子機器などの機器に設定値を設定する際、当該機器にユーザーが設定可能な設定値の候補を表示部に表示する表示制御装置が知られている。そして、当該表示制御装置では、１列に並べて表示された設定値の候補からユーザーが選択した設定値を設定する。例えば、電子機器の１つであるデジタルカメラにおいて、ユーザーが設定可能なＩＳＯ感度の候補を横１列にバー状に並べて表示部に表示することが行われている（特許文献１参照）。
【先行技術文献】
【特許文献】
【０００３】
【特許文献１】特開２０１４−５６４７０号公報
【発明の概要】
【発明が解決しようとする課題】
【０００４】
ところが、特許文献１に記載の手法では、ユーザーが設定可能な設定値と、デジタルカメラなどの機器が自動的に設定可能な設定値とが混在した場合には、これら設定値を区別して表示することができない。このため、ユーザーは機器において自動的に設定可能な設定を選択してしまう恐れがある。
【０００５】
そこで、本発明の目的は、ユーザーが設定可能な設定値と機器によって自動的に設定される設定値とを区別して表示することのできる表示制御装置、その制御方法、およびプログラム、並びに記憶媒体を提供することにある。
【課題を解決するための手段】
【０００６】
上記の目的を達成するため、本発明による表示制御装置は、特定の設定項目に関する複数の設定値を示す第１の候補群からユーザーによって選択された設定値を設定する第１の設定手段と、前記第１の候補群よりも設定値が多い第２の候補群から所定の条件に基づいて決定される設定値を設定する第２の設定手段と、前記第２の設定手段による設定を行わない第１の動作モードと、前記第２の設定手段による設定を行う第２の動作モードとを含む複数の動作モードのいずれかに切り替える切替手段と、前記第１の動作モードにおいては、前記第１の設定手段による設定のための第１の設定画面において前記第１の候補群に含まれない設定値の候補を表示せずに、前記第１の候補群に含まれる設定値の候補を一列に並べて表示し、前記第２の動作モードにおいては、前記第１の設定手段による設定のための第２の設定画面において前記第２の候補群に含まれる設定値の候補のうち前記第１の候補群に含まれる設定値の候補と前記第１の候補群に含まれない設定値の候補とを互いに異なる表示形態で一列に並べて表示するように制御する表示制御手段と、を有することを特徴とする。
【発明の効果】
【０００７】
本発明によれば、ユーザーが設定可能な設定値と機器によって自動的に設定される設定値とを区別して表示することができる。
【図面の簡単な説明】
【０００８】
【図１】本発明の実施の形態による表示制御装置を備える撮像装置の一例についてその構成を示すブロック図である。
【図２】図１に示す表示部に表示される設定画面の一例を説明するための図である。
【図３】図２（ａ）に示すＩＳＯ設定画面においてＩＳＯ感度設定ステップが１／３段に設定された際に表示部に表示される画面の一例を説明するための図である。
【図４】図２（ａ）に示すＩＳＯ設定画面においてＩＳＯ感度設定ステップが１段に設定され、かつ露出維持設定を行わない場合に表示部に表示される画面の一例を説明するための図である。
【図５】図２（ａ）に示すＩＳＯ設定画面においてＩＳＯ感度設定ステップが１段に設定され、露出維持設定がＩＳＯ感度に設定されている場合に表示部に表示される画面の一例を説明するための図である。
【図６】図１に示すカメラで行われるＩＳＯ感度設定画面表示処理を説明するためのフローチャートである。
【図７】図１に示すカメラで行われるＩＳＯ感度表示変更処理を説明するためのフローチャートである。
【発明を実施するための形態】
【０００９】
以下に、本発明の実施の形態による表示制御装置の一例について図面を参照して説明する。
【００１０】
図１は、本発明の実施の形態による表示制御装置を備える撮像装置の一例についてその構成を示すブロック図である。
【００１１】
図１において、カメラ１００は撮影レンズユニット（以下単に撮影レンズと呼ぶ）１０３を備えており、撮影レンズ１０３には、少なくともズームレンズおよびフォーカスレンズが備えられている。
【００１２】
撮影レンズ１０３の後段には絞り機能を備えるシャッター１０１が配置されている。そして、シャッター１０１の後側には、光学像（被写体像）を電気信号（アナログ信号）に変換するＣＣＤ又はＣＭＯＳセンサーなどの撮像素子を有する撮像部２２が配置されている。撮像部２２の出力であるアナログ信号はＡ／Ｄ変換器２３によってデジタル信号（画像データ）に変換される。
【００１３】
なお、撮影レンズ１０３の前面側にはバリア１０２が配置されており、このバリア１０２は撮影レンズ１０３、シャッター１０１、および撮像部２２などの撮像系を覆って、その汚れおよび破損を防止するためのものである。
【００１４】
画像処理部２４は、Ａ／Ｄ変換器２３の出力である画像データ、又はメモリ制御部１５から画像データを受けて、所定の画素補間および縮小などのリサイズ処理と色変換処理とを行う。また、画像処理部２４は撮像の結果得られた画像データを用いて所定の演算処理を行う。
【００１５】
システム制御部５０は、画像処理部２４による所定の演算処理によって得られた演算結果に基づいて露光制御および測距制御を行う。これにより、ＴＴＬ（スルー・ザ・レンズ）方式のＡＦ（オートフォーカス）処理、ＡＥ（自動露出）処理、およびＥＦ（フラッシュプリ発光）処理が行われる。
【００１６】
さらに、画像処理部２４は撮像の結果得られた画像データを用いて所定の演算処理を行って、当該演算結果に基づいてＴＴＬ方式のＡＷＢ（オートホワイトバランス）処理を行う。
【００１７】
Ａ／Ｄ変換器２３からの出力である画像データは、画像処理部２４およびメモリ制御部１５を介して、或いはメモリ制御部１５を介して、メモリ３２に書き込まれる。このメモリ３２は、所定枚数の静止画像又は所定時間の動画像および音声を格納するための十分な記憶容量を備えている。図示のメモリ３２は画像表示用のメモリ（ビデオメモリ）を兼ねており、メモリ３２に書き込まれた表示用の画像データはＤ／Ａ変換器１３を介して表示部２８に与えられて、画像として表示される。
【００１８】
なお、表示部２８は、例えば、ＬＣＤである。また、メモリ３２に蓄積された画像データをＤ／Ａ変換器１３においてＤ／Ａ変換して表示部２８に逐次転送して表示すれば、表示部２８は電子ビューファインダとして機能しスルー画像表示（ライブビュー表示）を行うことができる。
【００１９】
システム制御部５０はカメラ１００全体の制御を司る。不揮発性メモリ５６は、電気的に消去・記録可能なメモリであって、例えば、ＥＥＰＲＯＭが用いられる。不揮発性メモリ５６にはシステム制御部５０の動作用の定数、変数、およびプログラムなどが格納されている。このプログラムには、後述する各種フローチャートを実行するためのプログラムが含まれる。
【００２０】
システムメモリ５２は、例えば、ＲＡＭであり、システム制御部５０は不揮発性メモリ５６から動作用の定数、変数、およびプログラムなどを読み出して、システムメモリ５２に展開する。
【００２１】
なお、メモリ３２に書き込まれた画像データは、システム制御部５０においてファイル化されて、記録媒体インターフェース（Ｉ／Ｆ）１８を介して記録媒体２００に記録される。また、システム制御部５０は、メモリ３２、Ｄ／Ａ変換器１３、および表示部２８などを制御することによって表示制御を行う。
【００２２】
システム制御部５０にはシステムタイマー５３が接続されており、システムタイマー５２はシステム制御部５０による各種制御で用いる時間を計測してシステム制御部５０に与える。
【００２３】
前述のモード切り替えスイッチ６０は、例えば、システム制御部５０の動作モードを静止画記録モード、動画記録モード、および再生モードなどのいずれかに切り替えるためのスイッチである。
【００２４】
上記の静止画記録モードには、例えば、オート撮影モード、オートシーン判別モード、マニュアルモード、絞り優先モード（Ａｖモード）、およびシャッター速度優先モード（Ｔｖモード）がある。さらに、静止画記録モードには、撮影シーン別の撮影設定となる各種シーンモード、プログラムＡＥモード、およびカスタムモードなどがある。モード切り替えスイッチ６０を用いれば、これらのモードのいずれかに直接切り替えることができる。
【００２５】
また、モード切り替えスイッチ６０によって静止画記録モードに一旦切り替えた後、上記のモードのいずれかに操作部７０などの操作部材を用いて切り替えるようにしてもよい。同様に、動画記録モードにも複数のモードが含まれている。
【００２６】
シャッターボタン６１が操作途中（半押し：撮影準備指示）であると、第１のシャッタースイッチ（図示せず）がオンとなって、第１のシャッタースイッチ信号ＳＷ１がシステム制御部５０に与えられる。これによって、システム制御部５０はＡＦ（オートフォーカス）処理、ＡＥ（自動露出）処理、ＡＷＢ（オートホワイトバランス）処理、およびＥＦ（フラッシュプリ発光）処理などの撮影準備動作を開始する。
【００２７】
シャッターボタン６１が操作完了（全押し）になると、第２のシャッタースイッチ（図示せず）がオンとなって、第２のシャッタースイッチ信号ＳＷ２がシステム制御部５０に与えられる。これによって、システム制御部５０は撮像部２２の信号読み出しから記録媒体２００に画像データを書き込むまでの一連の撮像処理の動作を開始する。
【００２８】
表示部２８に表示される種々の機能アイコンを選択操作すると、場面（撮影シーン）毎に適宜機能が割り当てられて、操作部７０は各種機能ボタンとして作用する。機能ボタンとして、例えば、終了ボタン、戻るボタン、画像送りボタン、ジャンプボタン、絞込みボタン、および属性変更ボタンがある。
【００２９】
操作部７０においてメニューボタンが操作されると、システム制御部５０は各種設定を行うためのメニュー画面を表示部２８に表示する。ユーザーは表示部２８に表示されたメニュー画面を見て、上下左右の４方向キーおよびＳＥＴボタン（図示せず）を用いて直感的に各種設定を行うことができる。
【００３０】
図示のように、操作部７０には、タッチパネル７４およびコントローラホイール７３が備えられている。コントローラホイール７３は回転操作可能な操作部材であり、方向ボタンとともに選択項目を指示する際などに用いられる。コントローラホイール７３を回転操作すると、その操作量に応じた電気的なパルス信号が発生する。システム制御部５０は当該パルス信号に基づいてカメラ１００を制御する。システム制御部５０はパルス信号によってコントローラホイール７３が回転操作された角度およびその回転数を知ることができる。
【００３１】
なお、コントローラホイール７３は回転操作が検出できる操作部材であればどのようなものでもよい。例えば、コントローラホイール７３はユーザーの回転操作に応じてパルス信号を発生するダイヤル操作部材であってもよい。また、コントローラホイール７３は回転することなく、タッチセンサーよりなる操作部材であってユーザーの指の回転動作などを検出するものであってもよい（所謂タッチホイール）。
【００３２】
タッチパネル７４は表示部２８に対する接触を検知する。タッチパネル７４と表示部２８とは一体的に構成することができる。例えば、タッチパネル７４を、その光の透過率が表示部２８の表示を妨げないように構成して、表示部２８の表示面に取り付ける。そして、タッチパネル７４における入力座標と、表示部２８の表示座標とを対応付ける。これによって、恰もユーザーが表示部２８に表示された画面を直接的に操作可能となるＧＵＩ（グラフィカルユーザーインターフェース）を構成することができる。
【００３３】
電源制御部８０は電池検出回路、ＤＣ−ＤＣコンバータ、および通電するブロックを切り替えるスイッチ回路などを備えている。そして、電源制御部８０は電池の装着の有無、電池の種類、および電池残量の検出を行う。また、電源制御部８０は上記の検出結果およびシステム制御部５０の指示に基づいてＤＣ−ＤＣコンバータを制御して、所定の電圧を必要な期間の間、記録媒体２００を含むカメラ１００の各部に供給する。
【００３４】
電源制御部８０には電源部３０が接続されている。電池部３０はアルカリ電池又はリチウム電池などの一次電池、又はＮｉＣｄ電池、ＮｉＭＨ電池、又はＬｉ電池などの二次電池を備えるとともに、ＡＣアダプターなどを有している。
【００３５】
記録媒体Ｉ／Ｆ１８は、メモリカード又はハードディスクなどの記録媒体２００とのインターフェースであり、記録媒体２００には撮影の結果得られた画像データが記録される。この記録媒体２００は、例えば、半導体メモリ又は磁気ディスクから構成される。
【００３６】
通信部５４は、無線又は有線ケーブルに接続され、外部機器との間で画像データおよび音声信号の送受信を行う。通信部５４は無線ＬＡＮ（Ｌｏｃａｌ  Ａｒｅａ  Ｎｅｔｗｏｒｋ）およびインターネットに接続可能である。システム制御部５０は通信部５４によって撮像部２２で得られた画像（スルー画像を含む）および記録媒体２００に記録された画像データを送信可能である。さらに、システム制御部５０は通信部５４によって外部機器から画像データおよびその他の各種情報を受信することができる。
【００３７】
姿勢検知部５５は重力方向に対するカメラ１００の姿勢を検知する。姿勢検知部５５で検知された姿勢に基づいて、システム制御部５０は撮像部２２で得られた画像がカメラ１００を横に構えて撮影された画像であるか又は縦に構えて撮影された画像であるか判定することができる。
【００３８】
さらに、システム制御部５０は、姿勢検知部５５で検知された姿勢に応じたカメラ向きを示す向き情報を撮像部２２で得られた画像を格納した画像ファイルに付加するようにしてもよい。また、システム制御部５０は画像を回転して記録媒体２００に記録するようにしてもよい。なお、姿勢検知部５５として、例えば、加速度センサー又はジャイロセンサーなどが用いられる。
【００３９】
図２は、図１に示す表示部に表示される設定画面の一例を説明するための図である。そして、図２（ａ）はＩＳＯ感度設定ステップを設定するための設定画面を示す図であり、図２（ｂ）は絞り数値が変化した際の露出維持を設定するための設定画面を示す図である。なお、これらの設定画面はシステム制御部５０によって表示部２８に表示される。
【００４０】
図２（ａ）において、ＩＳＯ感度設定ステップを設定する設定画面（以下ＩＳＯ設定画面と呼ぶ）２０１には複数の設定２０２および２０３が選択肢として表示される。そして、ユーザーは操作部７０によって、カーソル２０４を移動させて設定２０２および２０３のいずれかをフォーカスする。その後、ユーザーが「ＳＥＴ  ＯＫ」ボタン２０５を押すと、システム制御部５０はフォーカスされた設定を選択する。なお、図示の例では、２つの設定２０２および２０３が示されているが、ＩＳＯ設定画面２０１には少なくとも２つの設定が表示される。
【００４１】
図示の例では、設定２０２はＩＳＯ感度設定ステップを「１段」で設定するための選択肢である。ＩＳＯ感度設定ステップが「１段」に設定されると、ＩＳＯ感度を増加させる際には「１００」、「２００」、および「４００」のように２倍となるＩＳＯ感度を選択可能となる。一方、ＩＳＯ感度を減少させる際には、１／２倍となるＩＳＯ感度を選択可能となる。
【００４２】
設定２０３はＩＳＯ感度設定ステップを「１／３段」で設定するための選択肢である。ＩＳＯ感度設定ステップが「１／３段」に設定されると、例えば、「１００」、「１２５」、「１６０」、および「２００」のように、ＩＳＯ感度設定ステップを１段の場合よりも細かく選択することができる。
【００４３】
このようにして、ＩＳＯ設定画面を用いて、ＩＳＯ感度の設定間隔を切り替える設定間隔切替を行うことができる。
【００４４】
図２（ｂ）に示す設定画面（以下露出維持設定画面と呼ぶ）２０６において、露出維持設定が行われたとする。この場合、撮影レンズの交換、エクステンダーの装着、又はズーム操作などによって絞り数値が変化する場合には、システム制御部５０はＩＳＯ感度およびシャッター速度を変更して、設定された露出値を維持した状態とする。
【００４５】
露出維持設定画面２０６には複数の設定２０７〜２０９が選択肢として表示される。設定２０７は絞り数値が変化した際に露出維持設定を無効にするための設定である。設定２０８は絞り数値が変化した際に露出を維持するためＩＳＯ感度を変更する設定である。設定２０９は絞り数値が変化した際に露出を維持するためシャッター速度（Ｔｖ値）を変更する設定である。なお、設定２０８が選択されると、ＩＳＯ感度はＩＳＯ感度設定ステップの設定に拘わらず１／３段で変化する。
【００４６】
ユーザーは操作部７０によって、カーソル２０４を移動させて設定２０７〜２０９のいずれかをフォーカスする。その後、ユーザーが「ＳＥＴ  ＯＫ」ボタン２０５を押すと、システム制御部５０はフォーカスされた設定を選択する。なお、図示の例では、３つの設定２０７〜２０９が示されているが、ＩＳＯ設定画面２０１には少なくとも３つの設定が表示される。
【００４７】
図３は、図２（ａ）に示すＩＳＯ設定画面においてＩＳＯ感度設定ステップが１／３段に設定された際に表示部に表示される画面の一例を説明するための図である。そして、図３（ａ）は第１の表示形態を示す図であり、図３（ｂ）は第２の表示形態を示す図である。ここでは、図２（ａ）に示すＩＳＯ設定画面において、ユーザーが「１／３段」を選択すると、システム制御部５０は表示部２８に図３（ａ）に示す画面３０１を表示する。
【００４８】
図３（ａ）において、画面３０１にはバー３０２が表示されており、当該バー３０２には設定可能なＩＳＯ感度の一部である複数のＩＳＯ感度（候補群）が所定の間隔をおいて図中左右方向に一列に配列されて表示されている。さらに、バー３０２には、カーソル３０６、目盛り３０７および４０８が表示される。そして、情報表示欄３０３は選択されたＩＳＯ感度が表示される。
【００４９】
なお、画面３０１においては、カーソル３０６はバー３０２の中央に固定して配置されている。そして、ＩＳＯ感度を変更すると、システム制御部５０はバー３０２に配置された目盛りをスライドさせて、選択したＩＳＯ感度をカーソル３０６に対応づける。
【００５０】
ボタン３０４および３０５はＩＳＯ感度を変更するためのボタンである。システム制御部５０はボタン３０４および３０５のいずれかがタッチ操作されたことを検知すると、当該タッチ操作に応じてＩＳＯ感度を変更する。ボタン３０４がタッチ操作されると、システム制御部５０はＩＳＯ感度を増加させる。また、ボタン３０５がタッチ操作されると、システム制御部５０はＩＳＯ感度を減少させる。なお、前述のように、カーソル３０６は選択されたＩＳＯ感度の位置を示している。
【００５１】
目盛り３０７および３０８は選択可能なＩＳＯ感度を示している。ここでは、目盛り３０７はＩＳＯ感度設定ステップが１段および１／３段のいずれに設定されたとしてもユーザーが設定可能なＩＳＯ感度を示す。また、目盛り３０８はＩＳＯ感度設定ステップが１／３段に設定された場合にのみ、ユーザーが設定可能なＩＳＯ感度を示す。
【００５２】
図示のように、目盛り３０７を、目盛３０８よりも長い棒状の指標で表示することによって、ユーザーは目盛３０７および３０８は識別することができる。但し、図３（ａ）に示す例では、目盛３０７および３０８はいずれもユーザー操作によって設定可能なにＩＳＯ感度であることを表すため、同一の色で表示される。以下この表示形態を第１の表示形態と呼ぶ。
【００５３】
図３（ａ）に示す画面３０１においてＩＳＯ感度を１目盛り増加させると、システム制御部５０は、図３（ｂ）に示す画面３０９を表示部２８に表示する。ここでは、システム制御部５０はボタン４０４がタッチ操作されたことを検知するか又は操作部７０によってＩＳＯ感度が増加されたことを検知すると、ＩＳＯ感度を増加させてＩＳＯ感度の設定値とする。
【００５４】
図３（ａ）に示すように、ＩＳＯ感度が１６００に設定されていたとする。ＩＳＯ感度を１目盛り増加させると、システム制御部５０はＩＳＯ感度を１／３段分増加させてＩＳＯ感度を「２０００」に変更して、図３（ｂ）に示すように、情報表示欄３０３に「２０００」を表示する（第２の表示状態）。さらに、システム制御部５０は、目盛りを移動してカーソル３０６に「２０００」を示す目盛りを対応付ける。
【００５５】
なお、図２（ｂ）に示す露出維持設定画面において「ＩＳＯ感度」に設定されている場合に、例えば、ズームレンズ操作などが行われた際に露出維持のためＩＳＯ感度が１／３段ステップで変更された場合にも同様にして、図３（ａ）および図３（ｂ）に示す画面が表示される。
【００５６】
図４は、図２（ａ）に示すＩＳＯ設定画面においてＩＳＯ感度設定ステップが１段に設定され、露出維持設定を行わない場合に表示部に表示される画面の一例を説明するための図である。そして、図４（ａ）は第３の表示形態を示す図であり、図３（ｂ）は第４の表示形態を示す図である。
【００５７】
図４（ａ）には、ＩＳＯ感度設定ステップが「１段」で、かつ絞り数値が変化した際の露出維持の設定が「しない」に設定されている場合の画面４０１が示されている。ここでは、ＩＳＯ感度設定ステップが「１段」に設定されているので、システム制御部５０は「１／３段」を示す目盛り３０８を画面４０１に表示しない。そして、システム制御部５０はユーザー操作によってＩＳＯ感度が増加する方向に変更されたことを検知すると、ユーザー操作に応じてＩＳＯ感度を増加させる。
【００５８】
図４（ｂ）には、画面４０１（第３の表示状態）において、ＩＳＯ感度を１目盛り増加させた際の画面４０２（第４の表示状態）が示されている。図４（ａ）においてＩＳＯ感度が「１６００」に設定されていた場合には、システム制御部５０はＩＳＯ感度を１段分増加させて「３２００」とし、情報表示欄３０３にＩＳＯ感度「３２００」を表示する（図４（ｂ）参照）。さらに、システム制御部５０は目盛りを移動して、カーソル３０６にＩＳＯ感度「３２００」を示す目盛りを対応付ける。
【００５９】
図５は、図２（ａ）に示すＩＳＯ設定画面においてＩＳＯ感度設定ステップが１段に設定され、露出維持設定がＩＳＯ感度に設定されている場合に表示部に表示される画面の一例を説明するための図である。そして、図５（ａ）は第５の表示形態を示す図であり、図５（ｂ）は第６の表示形態を示す図である。また、図５（ｃ）は第７の表示形態を示す図である。
【００６０】
ＩＳＯ感度設定ステップが「１段」で、露出維持設定が「ＩＳＯ感度」に設定されると、システム制御部５０は、ユーザー操作によって選択可能なＩＳＯ感度と自動的に変更されるＩＳＯ感度とを画面５０１に区別して表示する。
【００６１】
図５（ａ）に示すように、画面５０１（第５の表示状態）においては、システム制御部５０は目盛り３０７をユーザー操作によって選択可能なＩＳＯ感度の設定値とする。また、システム制御部５０は目盛り５０２を自動的に変更可能な設定値とする。この際、システム制御部５０は、目盛り３０７および目盛り５０２を区別するため、目盛り３０７および目盛り５０２の色を変えて表示する。さらに、システム制御部５０は、目盛５０２については自動的に変更されるＩＳＯ感度の設定値であることを示すため、図３で説明した目盛り３０７および目盛り３０８と異なる色で表示する。
【００６２】
なお、上述の例では、目盛り５０２を他の目盛りと区別するため色を変更するようにしたが、例えば、目盛り５０２についてはその線を太くするようにしてもよい。さらには、実線および点線を用いて目盛り５０２を他の目盛りと区別するようにしてもよい。いずれにしても、目盛り５０２を他の目盛り区別できればよい。
【００６３】
システム制御部５０はユーザー操作によってＩＳＯ感度が増加する方向に変更されたことを検知すると、ユーザー操作に応じてＩＳＯ感度を増加させる。図５（ｂ）には、画面５０１（第５の表示状態）において、ユーザー操作によってＩＳＯ感度を１目盛り増加させた際の画面５０３（第６の表示状態）が示されている。図５（ａ）においてＩＳＯ感度が「１６００」に設定されていた場合には、システム制御部５０はＩＳＯ感度を１段分増加させて「３２００」とし、情報表示欄３０３にＩＳＯ感度「３２００」を表示する（図５（ｂ）参照）。さらに、システム制御部５０は目盛りを移動して、カーソル３０６にＩＳＯ感度「３２００」を示す目盛りを対応付ける。
【００６４】
一方、システム制御部５０は、例えば、ズームレンズの駆動に応じて絞り数値が変更されたことを検知すると（つまり、所定の条件が検知されると）、ＩＳＯ感度を１／３段単位で増減させて露出値を維持する。例えば、ズームレンズが望遠側に駆動された結果、絞り数値が１／３段大きくなると、システム制御部５０はＩＳＯ感度を１／３段増加させて「２０００」として露出値を維持する。つまり、システム制御部５０は絞り数値の変更に応じてＩＳＯ感度（設定値）を決定する。
【００６５】
図５（ｃ）には、画面５０１（第５の表示状態）において、絞り数値が１／３段大きくなった場合にＩＳＯ感度を１／３段増加させた際の画面５０４（第７の表示状態）が示されている。図５（ａ）においてＩＳＯ感度が「１６００」に設定されていた場合には、システム制御部５０はＩＳＯ感度を１／３段分増加させて「２０００」とし、情報表示欄３０３にＩＳＯ感度「２０００」を表示する（図５（ｃ）参照）。さらに、システム制御部５０は目盛りを移動して、カーソル３０６にＩＳＯ感度「２０００」を示す目盛りを対応付ける。
【００６６】
このように、システム制御部５０はユーザー操作による設定のみを行う第１の動作モードと、カメラによる自動設定も行う第２の動作モードのいずれかに切り替える切替処理を行う。
【００６７】
図６は、図１に示すカメラで行われるＩＳＯ感度設定画面表示処理を説明するためのフローチャートである。なお、図示のフローチャートに係る処理は、不揮発性メモリ５６に記録されたプログラムをシステムメモリ５２に展開してシステム制御部５０が実行することによって行われる。
【００６８】
カメラ１００を起動して、ユーザーによってＩＳＯ設定画面を表示するための操作が行われると、システム制御部５０は不揮発性メモリ５６に保存された現在のＩＳＯ感度の設定値を取得する（ステップＳ６０１）。そして、システム制御部５０は当該ＩＳＯ感度の設定値に基づいて画面に表示可能な設定値の範囲を求める（ステップＳ６０２）。ここでは、現在のＩＳＯ感度設定値を中心としてその左右に選択肢を表示するため、システム制御部５０は選択肢の間隔と選択肢を描画する描画領域の幅とに基づいて、選択肢である設定値の範囲を求める。
【００６９】
例えば、図３（ａ）に示すバー３０２の幅が７２０ドットであり、１／３段ステップにおける目盛りの間隔が４３ドットである場合には、現在のＩＳＯ感度設定値を中心として、左右にそれぞれ８個の設定値を配置することができる。具体的には、現在のＩＳＯ感度設定値が「１６００」であるとすると、表示可能な設定値は画面の左端については「２５０」、右端についは「１００００」となる。つまり、画面にはＩＳＯ感度「２５０」から「１００００」までの計１７個の設定値が表示されることになる。
【００７０】
続いて、システム制御部５０は画面の左端の座標位置を求める（ステップＳ６０３）。そして、システム制御部５０は当該座標位置をメモリ３２に記憶する。次に、システム制御部５０は次に表示する設定値の候補を取得する（ステップＳ６０４）。
【００７１】
なお、まだ１つの設定値も表示していない場合には、システム制御部５０はステップＳ６０２で求めた設定値の範囲において左端に位置する設定値を取得する。前述のように、設定値の範囲が「２５０」から「１００００」である場合には、システム制御部５０はＩＳＯ感度「２５０」を取得する。既に表示した設定値が存在すると、システム制御部５０は次に表示する設定値（つまり、選択肢）を１／３段ステップで取得する。例えば、既に表示した設定が「２５０」どあると、システム制御部５０はＩＳＯ感度「３２０」を取得する。そして、次には、システム制御部５０はＩＳＯ感度「４００」を取得する。
【００７２】
続いて、システム制御部５０は次に表示する目盛りの座標位置を求める（ステップＳ６０５）。ここでは、システム制御部５０はメモリ３２に前回表示した目盛りの座標位置を記憶し、当該座標位置に目盛りの間隔であるオフセット（１／３段分の間隔）を加算して今回の目盛りの座標位置を求める。なお、目盛りを表示する前においては、メモリ３２にはステップＳ６０３で求めた左端に表示する目盛りの座標位置が記憶されている。
【００７３】
ＩＳＯ感度設定ステップの設定については不揮発性メモリ５６に保存されており、システム制御部５０は、不揮発性メモリ５６を参照してＩＳＯ感度設定ステップが１／３段に設定されているか否かを判定する（ステップＳ６０６）。ＩＳＯ感度設定ステップが１／３段に設定されていると（ステップＳ６０６において、ＹＥＳ）、システム制御部５０は、ステップＳ６０４で得た設定値に対する目盛りを第１の表示形態で描画する（ステップＳ６０７）。この結果、画面には、前述の目盛３０７又は３０８が表示されることになる。
【００７４】
続いて、システム制御部５０は画面に表示可能な範囲の設定値（つまり、目盛り）を全て表示したか否かを判定する（ステップＳ６０８）。全て表示すると（ステップＳ６０８において、ＹＥＳ）、システム制御部５０はＩＳＯ感度設定画面表示処理を終了する。一方、すべて表示していないと（ステップＳ６０８において、ＮＯ）、システム制御部５０はステップＳ６０４の処理に戻る。し、そうでない場合はＳ７０４へ遷移する。
【００７５】
ＩＳＯ感度設定ステップが１／３段に設定されていないと（ステップＳ６０６において、ＮＯ）、システム制御部５０はステップＳ６０４で得た設定値が１／３段に設定された場合にのみユーザーが設定可能な設定値であるか否かを判定する（ステップＳ６０９）。つまり、システム制御部５０は、次に表示する設定値は１／３段の設定値であるか否かを判定することになる。
【００７６】
１／３段に設定されている場合にのみユーザーが設定可能な設定値でないと（ステップＳ６０９において、ＮＯ）、システム制御部５０はステップＳ６０７の処理に進む。つまり、ＩＳＯ感度設定ステップが１段および１／３段のいずれであってもユーザーが設定可能な設定値であると、システム制御部５０はステップＳ６０７の処理に進み、第１の表示形態で目盛りを描画する。ここでは、前述の目盛３０７が表示されることになる。
【００７７】
１／３段に設定されている場合にのみユーザーが設定可能な設定値であると（ステップＳ６０９において、ＹＥＳ）、システム制御部５０は絞り数値変化の際の露出維持設定が「ＩＳＯ感度」であるか否かを判定する（ステップＳ６１０）。なお、絞り数値変化の際の露出維持設定については不揮発性メモリ５６に保存されているものとする。
【００７８】
露出維持設定が「ＩＳＯ感度」に設定されていると（ステップＳ６１０において、ＹＥＳ）、システム制御部５０は、ステップＳ６０４で得た設定値に対する目盛りを第２の表示形態で描画する（ステップＳ６１１）。この結果、図５で説明した目盛り５０２が表示されることになる。
【００７９】
露出維持設定が「ＩＳＯ感度」に設定されていないと（ステップＳ６１０において、ＮＯ）、システム制御部５０はステップＳ６０８の処理に進む。そして、この場合には、前述のように、システム制御部５０は１／３段に設定された場合にのみユーザーが設定可能な設定値（つまり、目盛り）を表示しない。なお、この場合にはユーザー操作およびカメラ自体によって設定されない設定値であるので、図４で説明した画面が表示されることになる。
【００８０】
図７は、図１に示すカメラで行われるＩＳＯ感度表示変更処理を説明するためのフローチャートである。なお、図示のフローチャートに係る処理は、不揮発性メモリ５６に記録されたプログラムをシステムメモリ５２に展開してシステム制御部５０が実行することによって行われる。
【００８１】
まず、システム制御部５０はユーザー操作があったか否かを検知する（ステップＳ７０１）。ユーザー操作を検知しないと（ステップＳ７０１において、ＮＯ）、システム制御部５０は待機する。ユーザー操作を検知すると（ステップＳ７０１において、ＹＥＳ）、システム制御部５０は当該ユーザー操作がＩＳＯ感度を変更するＩＳＯ変更操作であるか否かを判定する（ステップＳ７０２）。
【００８２】
ＩＳＯ変更操作でないと（ステップＳ７０２において、ＮＯ）、システム制御部５０はズームレンズを駆動するズームレンズ操作であるか否かを判定する（ステップＳ７０３）。ズーム操作でないと（ステップＳ７０３において、ＮＯ）、システム制御部５０はステップＳ７０１の処理に戻る。
【００８３】
ズーム操作であると（ステップＳ７０３において、ＹＥＳ）、システム制御部５０はズームレンズの操作によって絞り数値が変更されたか否かを判定する（ステップＳ７０４）。絞り数値が変更されないと（ステップＳ７０４において、ＮＯ）、システム制御部５０はステップＳ７０１の処理に戻る。一方、絞り数値が変更されると（ステップＳ７０４において、ＹＥＳ）、システム制御部５０は絞り数値が変化した際の露出維持設定が「ＩＳＯ感度」であるか否かを判定する（ステップＳ７０５）。なお、絞り数値が変化した際の露出維持設定は不揮発性メモリ５６に保存されているものとする。
【００８４】
露出維持設定が「ＩＳＯ感度」でないと（ステップＳ７０５において、ＮＯ）、システム制御部５０はステップＳ７０１の処理に戻る。露出維持設定が「ＩＳＯ感度」であると（ステップＳ７０５において、ＹＥＳ）、システム制御部５０はズームレンズ操作によって変更された絞り数値に基づいて露出値を維持するためのＩＳＯ感度を求める（ステップＳ７０６）。
【００８５】
ステップＳ７０２において、ＩＳＯ変更操作であると判定すると（ステップＳ７０２において、ＮＯ）、システム制御部５０はＩＳＯ変更操作に応じた変更後のＩＳＯ感度を取得する（ステップＳ７０７）。
【００８６】
ステップＳ７０６又はＳ７０７の処理の後、システム制御部５０は不揮発性メモリ５６に保存されたＩＳＯ感度の設定値を変更する（ステップＳ７９８）。その後、システム制御部５０は、ステップＳ８０８において変更されたＩＳＯ感度の設定値に基づいてＩＳＯ感度設定画面を更新する（ステップＳ７０９）。そして、システム制御部５０は表示変更処理を終了する。
【００８７】
ステップＳ７０９の処理においては、システム制御部５０は、例えば、図３（ａ）に示す画面３０１を図３（ｂ）に示す画面３０９に更新する。これによって、情報表示欄３０３に表示されるＩＳＯ感度、バー３０２に表示される目盛りなどの表示内容が更新されることになる。
【００８８】
このように、本発明の実施の形態では、ユーザーが設定可能な設定値と機器によって自動的に設定される設定値とを区別して表示することができる。この結果、ユーザーの利便性が向上する。
【００８９】
上述の実施の形態においては、少なくとも図１に示すシステム制御部５０、不揮発性メモリ５６、操作部７０、システムメモリ５２、メモリ制御部１５、およびＤ／Ａ変換器１３が表示制御装置を構成する。
【００９０】
なお、システム制御部５０が行うものとして説明した上述の各種制御は、１つのハードウェアが行ってもよいし、複数のハードウェアが処理を分担することで、装置全体の制御を行ってもよい。
【００９１】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００９２】
上述した実施形態においては、本発明をカメラ１００におけるＩＳＯ感度の設定画面に適用した場合を例にして説明したが、この例に限定されず、ユーザー操作によって設定可能な設定値と、機器が自動的に設定可能な設定値とが異なることのある設定項目の設定値を設定可能な表示制御装置であれば適用可能である。例えば、カメラ１００であれば、シャッター速度（Ｔｖ値）の設定画面の表示に本発明を適用可能である。すなわち、Ｔｖ値の設定ステップを１段刻みで設定可能な場合、上述の絞り数値変化の際の露出維持設定においてＴｖ値が設定されている場合にはＴｖ値の設定画面ではＴｖ値の設定バーに、ユーザーによるＴｖ値の変更操作では設定できないが、機器が自動的に設定可能なＴｖ値を、前述の第２の形態で表示する。さらに、Ｔｖ値の設定ステップを１段刻みで設定可能な場合、上述の絞り数値変化の際の露出維持設定でＴｖ値が設定されていない場合には、Ｔｖ値の設定画面におけるＴｖ値の設定バーに、ユーザーによるＴｖ値の変更操作では設定できないが機器が自動的に設定可能なＴｖ値は表示しない。
【００９３】
加えて、ＩＳＯ感度およびＴｖ値に限らず、また、カメラの撮影設定に係る設定値に限らず、様々な設定値に関して本発明を適用可能である。例えば、ディスプレイの表示輝度をユーザー設定で設定可能であり、当該ユーザー設定よりも細かい分解能で機器が自動で設定可能な場合などに適用可能である。すなわち、本発明はパーソナルコンピュータやＰＤＡ、携帯電話端末や携帯型の画像ビューワ、ディスプレイを備えるプリンタ装置、デジタルフォトフレーム、音楽プレーヤー、ゲーム機、電子ブックリーダー、タブレット端末、スマートフォン、投影装置、ディスプレイを備える家電装置や車載装置などに適用可能である。
【００９４】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００９５】
１５  メモリ制御部
２２  撮像部
２４  画像処理部
２８  表示部
５０  システム制御部
５２  システムメモリ
５６  不揮発性メモリ
６１  シャッターボタン
７０  操作部
７４  タッチパネル
【図１】
2018010133.tif 000003
【図２】
2018010133.tif 000004
【図３】
2018010133.tif 000005
【図４】
2018010133.tif 000006
【図５】
2018010133.tif 000007
【図６】
2018010133.tif 000008
【図７】
2018010133.tif 000009